(57)【要約】【課題】  ＲＦＩＤタグに記録される情報のセキュリティレベルを情報毎に規定し、リーダライタからＲＦＩＤタグの情報を読み取ろうとした場合、その情報のセキュリティレベルに応じて送信する信号強度を可変に制御する。【解決手段】  リーダライタ１８で規定されたセキュリティレベルに応じてＲＦＩＤタグ１にリーダライタ１８から受信した情報を記録し、記録した情報のセキュリティレベルに応じてコントローラ５が負荷変調回路２に制御信号２４を出力することにより、その情報をリーダライタ１８に送信する際の信号強度を可変に制御する。【選択図】      図１
2005346138.tif 000002
【特許請求の範囲】
【請求項１】
ＲＦタグであって、
セキュリティレベルに応じて情報を記録する記録手段と、
前記情報のセキュリティレベルに応じて、当該情報を質問器に送信する際の信号強度を可変に制御する制御手段とを有することを特徴とするＲＦタグ。
【請求項２】
前記記録手段は、質問器からの指示に基づいて、セキュリティレベルに応じて情報を記録することを特徴とする請求項１記載のＲＦタグ。
【請求項３】
前記ＲＦタグに記録される情報のセキュリティレベルを規定する際に、認証手段により認証された場合のみ情報のセキュリティレベルを規定することを可能とする請求項１記載のＲＦタグ。
【請求項４】
前記記録手段は、少なくとも２つの記録領域を有し、前記セキュリティレベルに応じた記録領域に前記情報を記録することを特徴とする請求項１記載のＲＦタグ。
【請求項５】
前記記録手段は、前記セキュリティレベルを規定した情報を更に付加して記録することを特徴とする請求項１記載のＲＦタグ。
【請求項６】
質問器とＲＦタグとの間で情報の送受信を行う通信システムであって、
前記質問器は、ＲＦタグに記録すべき情報のセキュリティレベルを規定する規定手段を有し、
前記ＲＦタグは、前記質問器で規定されたセキュリティレベルに応じて前記質問器から受信した情報を記録する記録手段と、前記記録した情報のセキュリティレベルに応じて、当該情報を前記質問器に送信する際の信号強度を可変に制御する制御手段とを有することを特徴とする通信システム。
【請求項７】
ＲＦタグの制御方法であって、
質問器から受信した情報を記録する記録工程と、
前記記録した情報のセキュリティレベルに応じて、当該情報を前記質問器に送信する際の信号強度を可変に制御する制御工程とを有することを特徴とするＲＦＩＤタグの制御方法。
【請求項８】
請求項７記載のＲＦタグの制御方法をコンピュータに実行させるためのプログラム。
【請求項９】
請求項８記載のプログラムを記録したコンピュータ読み取り可能な記録媒体。
【発明の詳細な説明】
【技術分野】
【０００１】
本発明は、質問器とＲＦ（Radio Frequency Identification）タグとの間で情報の送受信を行う技術に関するものである。
【背景技術】
【０００２】
近頃、物流の効率化を目的として、商品にＲＦＩＤ（Radio Frequency Identification）タグを取り付け、物流を自動化する計画が多岐市場においてなされている。これに伴い、ＲＦＩＤタグの製造技術も飛躍的に進歩し、ＲＦＩＤタグの単価も実用化レベルにまで下がってきており、様々な市場において、実証実験が開始されつつある。
【０００３】
しかしながら、商品にＲＦＩＤタグを取り付けると、ＲＦＩＤタグに格納された情報を遠隔地より読み取ることが可能となり、商品の所有者が気付かないうちに所有物の情報を第３者が勝手に読み取れてしまうという不安から、一部の消費者団体には、プライバシーを侵害される可能性のあるＲＦＩＤタグを商品に取り付けることに対して反対する動きもある。
【０００４】
このような消費者団体の不安の解消手段として、商品に取り付けられたＲＦＩＤタグの機能を商品購買時に停止する方法が提案されている。
【０００５】
また、非接触ＩＣカードに関しては、上述の解消手段として、例えば特許文献１には、非接触ＩＣカード内に、質問器が近距離にあるときに機能する近接型機能と質問器が遠距離にあるときに機能する遠隔型機能との両方の機能を設け、セキュリティ性に応じて機能を切り替えることが記載されている。
【特許文献１】特開平１０−３１２４４５号公報
【発明の開示】
【発明が解決しようとする課題】
【０００６】
しかし、ＲＦＩＤタグの機能は商品購入後でも利用価値が高く、商品購入後にＲＦＩＤタグの機能を停止するとＲＦＩＤタグのメリットを十分に活用することができなくなってしまう。例えば、服にＲＦＩＤタグを取り付けた場合を例に取ると、流通過程において、ダンボールに入れられた製造メーカ、色、サイズの異なる商品の種類・数量を、ダンボールを開けることなく把握することが可能であるだけではなく、購入した服をクリーニングに出す場合も、服に取り付けられたＲＦＩＤタグに、ＩＤ情報や洗濯時の取り扱い方法の情報が予め記録されていれば、クリーニング業者では預かった衣服の管理、クリーニング処理の分類のために新たにタグを取り付けることが不要となるだけでなく、クリーニング処理工程において預かった服を分類する作業を効率化することができる。
【０００７】
また、書籍を例にとってみた場合、近頃書店で万引きした書籍を書籍の中古販売業者に転売する犯罪が多発しているが、この場合にも書店で正式に購買したものか否かを書籍に取り付けたＲＦＩＤタグに情報として記録することにより、万引きした書籍は中古販売業者で買い取りを拒否することにより犯罪を防止することが可能となる。
【０００８】
更に、非接触ＩＣカードに関する特許文献１に記載されている２種類の機能を構成するためにはコストが増大するばかりでなく、回路規模が大きくなってしまう、という欠点がある。
【０００９】
本発明は、上記課題を解決するためになされたものであり、ＲＦＩＤタグに記録される情報のセキュリティレベルを情報毎に規定し、リーダライタからＲＦＩＤタグの情報を読み取ろうとした場合、その情報のセキュリティレベルに応じて送信する信号強度を可変に制御することを目的とする。
【課題を解決するための手段】
【００１０】
本発明は、ＲＦタグであって、セキュリティレベルに応じて情報を記録する記録手段と、前記情報のセキュリティレベルに応じて、当該情報を質問器に送信する際の信号強度を可変に制御する制御手段とを有することを特徴とする。
【００１１】
また、本発明は、質問器とＲＦタグとの間で情報の送受信を行う通信システムであって、前記質問器は、ＲＦタグに記録すべき情報のセキュリティレベルを規定する規定手段を有し、前記ＲＦタグは、前記質問器で規定されたセキュリティレベルに応じて前記質問器から受信した情報を記録する記録手段と、前記記録した情報のセキュリティレベルに応じて、当該情報を前記質問器に送信する際の信号強度を可変に制御する制御手段とを有することを特徴とする。
【００１２】
更に、本発明は、ＲＦタグの制御方法であって、質問器から受信した情報を記録する記録工程と、前記記録した情報のセキュリティレベルに応じて、当該情報を前記質問器に送信する際の信号強度を可変に制御する制御工程とを有することを特徴とする。
【発明の効果】
【００１３】
本発明によれば、ＲＦタグに記録される情報のセキュリティレベルを情報毎に規定し、質問器からＲＦタグの情報を読み取ろうとした場合、その情報のセキュリティレベルに応じて送信する信号強度を可変に制御することにより、セキュリティレベルの高い情報は質問器をＲＦタグに密着しないと読み取れないようにすることができ、プライバシーを保護すると共に、ＲＦタグの機能の活用範囲を広げることが可能となる。
【発明を実施するための最良の形態】
【００１４】
以下、図面を参照しながら発明を実施するための最良の形態について詳細に説明する。尚、本実施形態では、ＲＦＩＤタグの通信方式として、コイル型のアンテナを用い、ＲＦＩＤタグのアンテナとリーダライタのアンテナ間に誘導されて発生する磁束を利用した、「電磁誘導（磁界）方式」を例に説明する。
【００１５】
図１は、本実施形態におけるリーダライタ及びＲＦＩＤタグの構成を示すブロック図である。図１において、１８はリーダライタ（以下、質問器）、１はＲＦＩＤタグである。質問器１８は、コントローラ（cont）１２、パラレルシリアル変換器（以下、Ｐ／Ｓ変換器）１３、ＡＳＫ（Amplitude Shift Keying）変調回路１４、アンテナ１７、２２、負荷復調回路１６、シリアルパラレル変換器（以下、Ｓ／Ｐ変換器）１５で構成されている。尚、コントローラ１２は不図示のＣＰＵ、ＲＯＭ、ＲＡＭ、Ｉ／Ｆ回路等を含む周辺回路で構成されており、ＲＯＭ内に格納されたプログラムに従ってＲＦＩＤタグ１へのデータの送受信、質問器１８の操作、及び不図示のパーソナルコンピュータ（ＰＣ）等との通信制御を行う。
【００１６】
一方、ＲＦＩＤタグ１は、アンテナ１１、電源生成回路１０、ＡＳＫ復調回路１９、Ｓ／Ｐ変換器３、負荷変調回路２、Ｐ／Ｓ変換器４、コントローラ５で構成されている。
【００１７】
ここで、図２を用いてＲＦＩＤタグ１におけるコントローラ５の構成及び制御について説明する。
【００１８】
図２は、ＲＦＩＤタグ１におけるコントローラ５の構成を示すブロック図である。図２に示すように、コントローラ５は、ＣＰＵ２０１、質問器１８とのデータの送受信制御を行うためのプログラムが格納されたＲＯＭ２０２、作業領域として使用するＲＡＭ２０３、情報を記録するためのフラッシュ（FLASH）ＲＯＭ２０４、Ｉ／Ｆ回路等を含む周辺回路２０５で構成されており、ＲＯＭ２０２内に格納されたプログラムに従って質問器１８とのデータの送受信制御を行う。
【００１９】
図３は、コントローラ５におけるフラッシュＲＯＭ２０４のメモリ領域を示す図である。図３に示すように、フラッシュＲＯＭ２０４のメモリ領域はセキュリティレベル０領域３０１とセキュリティレベル１領域３０２とに分割されている。このセキュリティレベル０領域３０１は、誰にでも読み取りを許可する情報を記録しておく領域であり、セキュリティレベル１領域３０２は、所有者が望まない相手には、記録内容を読み出されたくない情報を記録しておく領域である。
【００２０】
以下、質問器１８とＲＦＩＤタグ１との通信機能について説明する。最初に質問器１８からＲＦＩＤタグ１にデータ送信する方法について説明する。
【００２１】
質問器１８では、コントローラ１２がＲＦＩＤタグ１に送信したいデータ及びコマンドをＰ／Ｓ変換器１３に出力し、Ｐ／Ｓ変換器１３がデータ及びコマンドをシリアルデータに変換し、ＡＳＫ変調回路１４がシリアルデータに基づいて搬送波を変調し、変調された搬送波（変調波）２０がアンテナ１７を介してＲＦＩＤタグ１から送信される。
【００２２】
一方、ＲＦＩＤタグ１では、アンテナ１１が質問器１８から送信されてくる変調波２０を受信し、電源生成回路１０が受信した変調波２０を整流回路で整流し、平滑コンデンサで平滑し、平滑した電圧が所定値以上にならないようにシャントレギュレータ回路で制御し、ＲＦＩＤタグ１内の各素子に電源を供給する。そして、ＡＳＫ復調回路１９が変調波２０を整流後、変調波２０に乗せられてきたデータを公知であるＡＳＫ復調方式で取り出し、Ｓ／Ｐ変換器３がパラレルデータに変換してコントローラ５に出力する。これにより、コントローラ５では、質問器１８から送信されてきたデータ及びコマンドに応じてフラッシュＲＯＭ２０４のデータの書き換え、フラッシュＲＯＭ２０４に記憶されたデータを質問器１８に送信する等の処理を行う。
【００２３】
例えば、第３者に読み取られたくない情報をＲＦＩＤタグ１のフラッシュＲＯＭ２０４に書き込む場合、質問器１８からセキュリティレベル１領域３０２に書き込むように指示するコマンドとデータ（読み取られたくない情報）を送信する。
【００２４】
次に、ＲＦＩＤタグ１から質問器１８にデータ送信する方法について説明する。上述したデータ及びコマンドにより、質問器１８からＲＦＩＤタグ１のコントローラ５にデータの転送命令がなされると、コントローラ５は転送するデータをＰ／Ｓ変換器４に出力し、Ｐ／Ｓ変換器４がシリアルデータに変換し、負荷変調回路２が質問器１８から発生されたキャリア２１にデータを乗せてアンテナ１１、２２を介して質問器１８に送信する。
【００２５】
ここで、負荷変調回路２の構成及び動作について説明する。負荷変調回路２は、質問器１８から発生されたキャリア２１の信号振幅を減衰するための減衰負荷７、キャリア２１を変調するための変調負荷９、及びスイッチ６，８で構成されている。コントローラ５が制御信号２４によりスイッチ６をＯＮにすると、質問器１８に送信されるキャリア２１の振幅は減衰される。また、Ｐ／Ｓ変換器４でシリアルデータに変換されたデータに基づきスイッチ８をＯＮ／ＯＦＦすることで、キャリア２１にデータが乗せられる。
【００２６】
一方、質問器１８では、ＲＦＩＤタグ１からデータを乗せて送られてきたキャリア２１をアンテナ２２で受信し、負荷復調回路１６がデータを取り出し、Ｓ／Ｐ変換器１５によってシリアルデータをパラレルデータに変換し、コントローラ１２に送信する。
【００２７】
次に、図４乃至図６を用いて質問器１８がＲＦＩＤタグ１から送信されたキャリア２１からシリアルデータ２５を取り出す方法について説明する。
【００２８】
図４は、ＲＦＩＤタグ１から質問器１８へ送信されるキャリアを表す図である。まず、図５を用いてキャリア２１にデータを乗せる方法について説明する。図５は、図４に示す丸で囲まれた部分４０１を拡大した図である。
【００２９】
ＲＦＩＤタグ１において、負荷変調回路２のスイッチ８は、図５に示すように、Ｐ／Ｓ変換器４が変換したシリアルデータ２３が“０”のときにＯＦＦとなり、シリアルデータ２３が“１”のときにＯＮとなる。その結果、負荷変調回路２は、シリアルデータ２３が“０”のときに振幅が大きく、シリアルデータ２３が“１”のときに振幅が小さく、変調させたキャリア２１を生成することができる。そして、質問器１８では、アンテナ２２で受信したキャリア２１が負荷復調回路１６に出力される。
【００３０】
図６は、負荷復調回路１６の構成の一例を示すブロック図である。負荷復調回路１６に入力されたキャリア２１は、包絡線生成回路６０１に送られる。ここでは、キャリア２１に基づき、包絡線生成回路６０１が図５に示すような包絡線５０１を生成する。そして、２値化回路６０２がキャリア２１に同期して生成されたＣＬＫ５０３の立ち上がりエッジのタイミングで包絡線５０１と閾値５０２とを比較することによりキャリア２１を２値化し、サブキャリア５０４（図４に示す４０２）を出力する。次に、データ生成回路６０３では、サブキャリア５０４の位相が反転する毎にデータを反転させたデータをＳ／Ｐ変換器１５へ出力するシリアルデータ２５（図３に示す４０３）として取り出す。
【００３１】
次に、ＲＦＩＤ１のフラッシュＲＯＭ２０４に記録された情報のセキュリティレベルに応じて、質問器１８への送信信号強度を可変に制御する方法について説明する。
【００３２】
ＲＦＩＤタグ１では、質問器１８からフラッシュＲＯＭ２０４に記録された情報の送信命令を受信すると、コントローラ５では送信命令を受けた情報がフラッシュＲＯＭ２０４のセキュリティレベル０領域３０１に記録された情報か、又はセキュリティレベル１領域３０２に記録された情報かを判定する。ここで、セキュリティレベル０領域３０１の情報を送信する場合には、制御信号２４によって負荷変調回路２のスイッチ６をＯＦＦにすることにより、送信信号強度が強い状態で情報を送信し、セキュリティレベル１領域３０２の情報を送信する場合には、制御信号２４によってスイッチ６をＯＮにすることにより、送信信号強度が弱い状態で情報を送信する。
【００３３】
この制御方法により、セキュリティレベル０領域３０１の情報は質問器１８をＲＦＩＤタグ１に近接するだけで読み取ることが可能となるが、セキュリティレベル１領域３０２の情報は質問器１８をＲＦＩＤタグ１に密着しなければ読み取れなくなる。
【００３４】
図７は、質問器１８をＲＦＩＤ１に近接した場合に、質問器１８の負荷復調回路１６の２値化回路６０２で包絡線回路６０１の出力信号を２値化する状態を示す図である。尚、７０２は図５に示した２値化のための閾値レベル５０２に相当するものである。
【００３５】
図７に示す（ａ）は、送信信号強度が強い状態で送信されたセキュリティレベル０領域３０１の情報を２値化する場合の一例を示す図であり、包絡線回路６０１の包絡線７０１が閾値レベル７０２を越えており、２値化回路６０２はこの情報を２値化することができ、結果としてデータ生成回路６０３でデータを取り出すことができる。
【００３６】
図７に示す（ｂ）は、送信信号強度が弱い状態で送信されたセキュリティレベル１領域３０２の情報を２値化する場合の一例を示す図であり、包絡線回路６０１の包絡線７０３が閾値レベル７０２以下であり、２値化回路６０２はこの情報を２値化することができず、結果としてデータ生成回路６０３でデータを取り出すことができない。
【００３７】
図８は、質問器１８をＲＦＩＤ１に密着した場合に、質問器１８の負荷復調回路１６の２値化回路６０２で包絡線回路６０１の出力信号を２値化する状態を示す図である。尚、８０２は図５に示した２値化のための閾値レベル５０２に相当するものである。
【００３８】
図８に示す（ａ）は、送信信号強度が強い状態で送信されたセキュリティレベル０領域３０１の情報を２値化する場合の一例を示す図であり、包絡線回路６０１の包絡線８０１が閾値レベル８０２を越えており、２値化回路６０２はこの情報を２値化することができ、結果としてデータ生成回路６０３でデータを取り出すことができる。
【００３９】
図８に示す（ｂ）は、送信信号強度が弱い状態で送信されたセキュリティレベル１領域３０２の情報を２値化する場合の一例を示す図であり、包絡線回路６０１の包絡線８０３が閾値レベル８０２を越えており、２値化回路６０２はこの情報を２値化することができ、結果としてデータ生成回路６０３でデータを取り出すことができる。
【００４０】
図７及び図８に示すように、セキュリティレベル０領域３０１の情報は、質問器１８をＲＦＩＤタグ１に近接しても、密着しても読み取ることができるが、セキュリティレベル１領域３０２の情報は、質問器１８をＲＦＩＤタグ１に密着しなければ情報を正確に読み取ることができない。このように、第３者に読み取られたくない情報はＲＦＩＤタグ１のセキュリティレベル１領域３０２に記録しておくことにより、質問器１８をＲＦＩＤタグ１に密着しなければ読み取れなくすることが可能となる。
【００４１】
次に、ＲＦＩＤタグ１に記録された情報のセキュリティレベルに応じて質問器１８への信号送信レベルを変更する方法を、服にＲＦＩＤタグを取り付けた場合を例にとって説明する。
【００４２】
図９は、ＲＦＩＤタグ１内のフラッシュＲＯＭ２０４のメモリ領域に記録された情報を示す図である。服が工場から出荷された状態では、図９に示すように、サイズ、色、材質、製造地域、洗濯方法、シリアルＮｏ．、定価、製造メーカ等の各種情報がフラッシュＲＯＭ２０４のセキュリティレベル０領域３０１に記録されており、誰でもが質問器１８を近接することによって自由に読み取ることが可能であり、流通時、棚卸等に活用できる。
【００４３】
ここで、消費者がこの服を購買する際に、販売店では、図１０に示すようなＰＯＳ端末１００１に接続された質問器１８を消費者が購買する服に近接させることにより、服に取り付けられているＲＦＩＤタグ１のメモリ領域に記録された情報を読み取り、販売データ等を収集する。
【００４４】
次に、ＲＦＩＤタグ１に記録されている各種情報のうち、消費者が第３者には公開したくない情報をＰＯＳ端末１００１、質問器１８を介してセキュリティレベル１領域３０２に移動させる。具体的には、例えば図１１に示すような表示画面をＰＯＳ端末１００１の表示装置に表示させ、消費者にセキュリティレベルを変更させるようにすれば良い。
【００４５】
また、ＲＦＩＤタグ１に記録される情報のセキュリティレベルを変更又は規定する際に、認証手段（ユーザＩＤ及びパスワード）により認証された場合のみ情報のセキュリティレベルを変更又は規定するように構成することも可能である。
【００４６】
図１１は、情報のセキュリティレベルを変更する際のＰＯＳ端末１００１の表示画面を示す図である。消費者は図示しないＰＯＳ端末１００１の操作部から服に取り付けられたＲＦＩＤタグ１に記録されている情報を確認し、項目（情報）毎に好みに応じて、セキュリティレベルを変更し、ＲＦＩＤタグ１のフラッシュＲＯＭ２０４に記録する。このとき、暗証番号等を登録することにより、フラッシュＲＯＭ２０４に書き込まれた情報の内容やセキュリティレベルを第３者が勝手に変更できないようにすることも可能である。更に、消費者は自分の氏名等をフラッシュＲＯＭ２０４に記録することも可能である。
【００４７】
図１２は、購買時に変更したＲＦＩＤタグ１のフラッシュＲＯＭ２０４の内容を示す図である。図１１に示す画面でセキュリティレベルを変更した場合、セキュリティレベル０領域３０１には、色、材質、製造地域、洗濯方法、シリアルＮｏ．が記録され、セキュリティレベル１領域３０２には、サイズ、定価、製造メーカ、所有者名が記録される。
【００４８】
このように、消費者はプライバシー情報をセキュリティレベル１領域３０２に記録することにより、服を着て街を歩いているときに、第３者により勝手にプライバシーに関する情報を読み取られることを防止することができる。
【００４９】
また、帰宅後に、消費者は個人で所有するＰＣに接続された質問器１８を服に取り付けられたＲＦＩＤタグ１に密着させることにより、ＲＦＩＤタグ１に記録された情報全てをＰＣに取り込むことが可能で、家計簿や所有している服の管理データに容易に反映させることができる。
【００５０】
更に、購買後、洗濯方法、シリアルＮｏ．がセキュリティレベル０領域３０１に記録されているので、消費者が服をクリーニングに出したとき、クリーニング業者は質問器１８を服に取り付けられたＲＦＩＤタグに近接させるだけで服の各種情報が取り出せるため、伝票作成業務を簡素化することが可能である。また、服をクリーニング行程にかけるときも、質問器１８を服に取り付けられたＲＦＩＤタグに近接するだけで服のクリーニング方法を自動的に読み取れるため、クリーニング作業の効率化を図ることが可能となる。
【００５１】
次に、ＲＦＩＤタグ１を書籍に取り付けた場合を例にとり、ＲＦＩＤタグ１に記録された情報のセキュリティレベルに応じて質問器１８への信号送信レベルを変更する具体例について説明する。
【００５２】
図１３は、ＲＦＩＤタグ１内のフラッシュＲＯＭ２０４のメモリ領域に記録された情報を示す図である。書籍が印刷工場から出荷された状態では、図１３に示すように、書名、著者名、発行所、発行日、版、印刷者、分類、ＩＳＢＮ（国際標準図書コード）、書誌番号、定価、販売店（この例では販売店名は未記録）、販売日（この例では販売日は未記録）等の各種情報がフラッシュＲＯＭ２０４のセキュリティレベル０領域３０１に記録されており、誰でもが質問器１８を近接することによって情報を自由に読み取ることが可能であり、流通時、棚卸等に活用できる。
【００５３】
ここで、消費者がこの本を購買する際に、販売店では、図１０に示すようなＰＯＳ端末１００１に接続された質問器１８を消費者が購買する本に近接させることにより、本に取り付けられているＲＦＩＤタグ１のメモリ領域に記録された情報を読み取り、販売データ等を収集する。
【００５４】
次に、ＲＦＩＤタグ１に記録されている各種情報のうち、消費者が第３者には公開したくない情報をＰＯＳ端末１００１、質問器１８を介してセキュリティレベル１領域３０２に移動させる。この例では、消費者は図１４に示すように、販売日以外の情報を、プライバシーを守るために全てセキュリティレベル１領域３０２に変更し、更に販売書店の情報を付加している。
【００５５】
このように、販売日をセキュリティレベル０領域３０１に記録することにより、消費者は、購買した本を持参して他の書店を訪問し、書店の入り口にある万引き防止のゲートを通過したとき、持参した本が消費者の所有物であることを自動的に証明することが可能となり、不要な疑いを回避することができる。
【００５６】
また、帰宅後に、消費者は個人で所有するＰＣに接続された質問器１８を本に取り付けられたＲＦＩＤタグ１に密着させることにより、ＲＦＩＤタグ１に記録された情報全てをＰＣに取り込むことが可能で、家計簿や所有している本の管理データに容易に反映させることができる。
【００５７】
また、消費者が所有している本を書籍の中古販売業者に売却する場合、中古販売業者では、本に質問器を密着してＲＦＩＤタグ１に記録されている情報を読み取ることにより、その本が販売された販売店、販売日情報を確認できるため、万引き等不正に入手した本ではないことが確認できる。そのため、本を万引き等の不正手段で入手し、中古販売業者に売却することで換金する犯罪を防止することが可能となる。
【００５８】
上述した実施形態では、情報のセキュリティレベルの規定を、情報を記録するフラッシュＲＯＭ２０４のメモリ領域に基づいて行う方法について説明したが、フラッシュＲＯＭ２０４のメモリ領域を情報のセキュリティレベル毎に分割するのではなく、各々の情報にセキュリティレベルを表す情報を付加してフラッシュＲＯＭ２０４に記録し、ＲＦＩＤタグ１から質問器１８へ情報を送信する際に、情報に付加されたセキュリティレベル情報に応じて、質問器１８に送信する際の信号強度を可変に制御することも可能である。
【００５９】
また、情報のセキュリティレベルを２段階に規定した場合について説明したが、情報のセキュリティレベルを多段階に規定し、規定したセキュリティレベルに応じて、ＲＦＩＤタグ１から質問器１８へ情報を送信する際の信号強度も多段階に変更しても構わない。
【００６０】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００６１】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００６２】
この場合、記録媒体から読出されたプログラムコード自体が前述した実施形態の機能を実現することになり、そのプログラムコードを記憶した記録媒体は本発明を構成することになる。
【００６３】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００６５】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００６６】
【図１】本実施形態におけるリーダライタ及びＲＦＩＤタグの構成を示すブロック図である。
【図２】ＲＦＩＤタグ１におけるコントローラ５の構成を示すブロック図である。
【図３】コントローラ５におけるフラッシュＲＯＭ２０４のメモリ領域を示す図である。
【図４】ＲＦＩＤタグ１から質問器１８へ送信されるキャリアを表す図である。
【図５】図４に示す丸で囲まれた部分４０１を拡大した図である。
【図６】負荷復調回路１６の構成の一例を示すブロック図である。
【図７】質問器１８をＲＦＩＤ１に近接した場合に、質問器１８の負荷復調回路１６の２値化回路６０２で包絡線回路６０１の出力信号を２値化する状態を示す図である。
【図８】質問器１８をＲＦＩＤ１に密着した場合に、質問器１８の負荷復調回路１６の２値化回路６０２で包絡線回路６０１の出力信号を２値化する状態を示す図である。
【図９】ＲＦＩＤタグ１内のフラッシュＲＯＭ２０４のメモリ領域に記録された情報を示す図である。
【図１０】ＰＯＳ端末１００１と質問器１８との接続状態を示す図である。
【図１１】情報のセキュリティレベルを変更する際のＰＯＳ端末１００１の表示画面を示す図である。
【図１２】購買時に変更したＲＦＩＤタグ１のフラッシュＲＯＭ２０４の内容を示す図である。
【図１３】ＲＦＩＤタグ１内のフラッシュＲＯＭ２０４のメモリ領域に記録された情報を示す図である。
【図１４】購買時に変更したＲＦＩＤタグ１のフラッシュＲＯＭ２０４の内容を示す図である。
【符号の説明】
【００６７】
１  ＲＦＩＤタグ
２  負荷変調回路
３  Ｓ／Ｐ変換器
４  Ｐ／Ｓ変換器
５  コントローラ
６  スイッチ
７  減衰負荷
８  スイッチ
９  変調負荷
１０  電源発生回路
１１  アンテナ
１２  コントローラ
１３  Ｐ／Ｓ変換器
１４  ＡＳＫ変調回路
１５  Ｓ／Ｐ変換器
１６  負荷復調回路
１７  アンテナ
１８  質問器
１９  ＡＳＫ復調回路
２０  変調波
２１  キャリア
２２  アンテナ
４１  包絡線
４２  閾値
４３  ＣＬＫ
４４  サブキャリア
２０１  ＣＰＵ
２０２  ＲＯＭ
２０３  ＲＡＭ
２０４  フラッシュＲＯＭ
２０５  周辺回路
３０１  セキュリティレベル０領域
３０２  セキュリティレベル１領域
６０１  包絡線回路
６０２  ２値化回路
６０３  データ生成回路
１００１  ＰＯＳ端末
【図１】
2005346138.tif 000003
【図２】
2005346138.tif 000004
【図３】
2005346138.tif 000005
【図４】
2005346138.tif 000006
【図５】
2005346138.tif 000007
【図６】
2005346138.tif 000008
【図７】
2005346138.tif 000009
【図８】
2005346138.tif 000010
【図９】
2005346138.tif 000011
【図１０】
2005346138.tif 000012
【図１１】
2005346138.tif 000013
【図１２】
2005346138.tif 000014
【図１３】
2005346138.tif 000015
【図１４】
2005346138.tif 000016